(57)【要約】【課題】同一の室内空間を対象とする調湿装置（10）及び空調装置（20）を備える空調システム（1）において、調湿装置（10）で湿度調節された空気を室内中に行き亘らせ、効率的に室内の快適性を向上させる。【解決手段】調湿装置（10）の運転中で且つ空調装置（20）が温調動作を停止している状態において、送風動作を空調装置（20）に行わせる攪拌動作を実行可能な制御手段（41,42）を設ける。制御手段（41,42）で攪拌動作が実行されると、空調装置（20）は、温調動作の停止中であっても、取り込んだ室内空気をそのまま室内へ吹き出す送風動作を行う。室内の空気は、空調装置（20）が吹き出す空気によって攪拌される。【選択図】図５
2006343020.tif 000002
【特許請求の範囲】
【請求項１】
取り込んだ空気を湿度調節してから室内へ供給する調湿動作を行う調湿装置（10）と、
取り込んだ室内空気を温度調節してから室内へ供給する温調動作を行う空調装置（20）とを備える空調システムであって、
上記空調装置（20）では、取り込んだ室内空気をそのまま室内へ吹き出す送風動作と上記温調動作とが切り換え可能になっており、
上記調湿装置（10）の運転中で且つ上記空調装置（20）が温調動作を停止している状態において該空調装置（20）に送風動作を行わせる攪拌動作を実行可能な制御手段（41,42）が設けられていることを特徴とする空調システム。
【請求項２】
請求項１において、
上記空調装置（20）は、室内へ供給する空気の吹き出し方向を変更可能に構成されており、
上記制御手段（41,42）は、上記攪拌動作の際に上記空調装置（20）の空気の吹き出し方向を変化させることを特徴とする空調システム。
【請求項３】
請求項１又は２において、
上記調湿動作中の調湿装置（10）は、取り込んだ室外空気を湿度調節して室内へ供給すると同時に、取り込んだ室内空気を室外へ排出することを特徴とする空調システム。
【請求項４】
請求項１乃至３の何れか１つにおいて、
上記制御手段（41,42）は、上記攪拌動作の際に上記送風動作を予め設定された時間間隔で上記空調装置（20）に行わせることを特徴とする空調システム。
【請求項５】
請求項１乃至４の何れか１つにおいて、
上記制御手段（41,42）は、室内の空気と上記調湿装置（10）から室内へ供給される空気との温度又は湿度の差に基づいて上記攪拌動作の開始又は停止を判断することを特徴とする空調システム。
【請求項６】
請求項１乃至４の何れか１つにおいて、
上記空調装置（20）が室内から取り込む空気の温度を検出する吸込温度検出手段を備え、
上記制御手段（41,42）は、上記吸込温度検出手段の検出値の変化量に基づいて上記攪拌動作の停止を判断することを特徴とする空調システム。
【請求項７】
請求項３において、
上記調湿装置（10）が室内から取り込む空気の温度又は湿度を検出する還気状態検出手段を備え、
上記制御手段（41,42）は、上記還気状態検出手段の検出値の変化量に基づいて上記攪拌動作の開始又は停止を判断することを特徴とする空調システム。
【請求項８】
請求項１乃至７の何れか１つにおいて、
上記調湿装置（10）は、吸着剤を担持する吸着熱交換器（51,52）が接続されて冷凍サイクルを行う冷媒回路（50）を備え、該冷媒回路（50）の冷媒により上記吸着熱交換器（51,52）の吸着剤を加熱し又は冷却し、該吸着剤に接触する空気を湿度調節して室内へ供給することを特徴とする空調システム。
【請求項９】
請求項８において、
上記調湿装置（10）が室内へ供給する空気の温度又は湿度を検出する給気状態検出手段を備え、
上記制御手段（41,42）は、上記給気状態検出手段の検出値の変化量に基づいて上記攪拌動作の開始又は停止を判断することを特徴とする空調システム。
【発明の詳細な説明】
【技術分野】
【０００１】
本発明は、同一の室内空間を対象とする調湿装置及び空調装置を備える空調システムに関するものである。
【背景技術】
【０００２】
従来より、室内空間の温度を調節するための空調装置と、室内空間の湿度を調節するための調湿装置とが知られている。
【０００３】
特許文献１には、冷媒回路で冷媒が循環して蒸気圧縮冷凍サイクルを行う空調装置が開示されている。この空調装置の冷媒回路には、圧縮機、室内熱交換器、膨張弁、室外熱交換器、及び四方切換弁が接続されている。この空調装置は、四方切換弁の切換によって冷媒の循環方向が可逆となっており、冷房運転と暖房運転とが切換可能となっている。
【０００４】
また、特許文献２には、取り込んだ室外空気を湿度調節して室内へ供給する調湿装置が開示されている。この調湿装置は、室内と室外の空気を入れ換える換気を行うもので、室外空気を湿度調節して室内へ供給すると同時に室内空気を室外へ排出している。
【０００５】
この調湿装置は、水分の吸着を行う吸着剤を担持する吸着熱交換器が２つ接続された冷媒回路を備えている。この調湿装置は、冷媒の循環方向に応じて、一方の吸着熱交換器が蒸発器として機能し、他方が凝縮器として機能する。蒸発器となる吸着熱交換器は接触する空気を除湿し、凝縮器となる吸着熱交換器は接触する空気を加湿する。この調湿装置では、冷媒の循環方向を切り換えることで吸着熱交換器の除湿側と加湿側とが切換可能になっている。
【特許文献１】特開２００３−１０６６０９号公報
【特許文献２】特開２００４−２９４０４８号公報
【発明の開示】
【発明が解決しようとする課題】
【０００６】
ところで、空調装置と調湿装置とを同一の室内空間に併設する場合に、空調装置は室内への供給空気の風量が比較的大きいので温度調節した空気を室内中へ行き亘らせることができるが、調湿装置は供給空気の風量が比較的小さい場合が多く、湿度調節した空気を室内中へ行き亘らせることが難しいという問題がある。
【０００７】
例えば、上述したような室内の湿度調節と共に室内の換気を行う調湿装置では、供給空気の風量を大きくすると排気空気の風量も大きくなるので、その分湿度調節した空気が室外へ排出されてしまう。従って、供給空気の風量を大きくすることができず、湿度調節した空気を室内中へ行き亘らせることが困難になっている。このため、せっかく湿度調節した空気を室内へ供給しても、その湿度調節した空気が滞留してしまう場合があり、居室者の快適性が向上しなかったり、室内の湿度調節が不十分であると湿度センサが感知してそれを補うための無駄な調湿動作が行われたりするという不具合がある。
【０００８】
本発明は、斯かる点に鑑みてなされたものであり、その目的とするところは、同一の室内空間を対象とする調湿装置及び空調装置を備える空調システムにおいて、調湿装置で湿度調節された空気を室内中に行き亘らせ、効率的に室内の快適性を向上させることにある。
【課題を解決するための手段】
【０００９】
第１の発明は、取り込んだ空気を湿度調節してから室内へ供給する調湿動作を行う調湿装置（10）と、取り込んだ室内空気を温度調節してから室内へ供給する温調動作を行う空調装置（20）とを備える空調システム（1）を対象とする。そして、上記空調装置（20）では、取り込んだ室内空気をそのまま室内へ吹き出す送風動作と上記温調動作とが切り換え可能になっており、上記調湿装置（10）の運転中で且つ上記空調装置（20）が温調動作を停止している状態において該空調装置（20）に送風動作を行わせる攪拌動作を実行可能な制御手段（41,42）が設けられている。
【００１０】
第１の発明では、調湿装置（10）の運転中で且つ空調装置（20）が温調動作を停止している状態において、制御手段（41,42）が攪拌動作を実行可能に構成されている。制御手段（41,42）が攪拌動作を実行すると、空調装置（20）では取り込んだ室内空気をそのまま室内へ吹き出す送風動作が行われる。そして、空調装置（20）で送風動作が行われると、室内の空気が該空調装置（20）が吹き出す空気によって攪拌される。空調装置（20）は、例えば室温が設定値になっていて温調動作を行うが必要ない場合であっても、制御手段（41,42）で攪拌動作が実行されると送風動作を行う。
【００１１】
第２の発明は、第１の発明において、上記空調装置（20）が、室内へ供給する空気の吹き出し方向を変更可能に構成されており、上記制御手段（41,42）が、上記攪拌動作の際に上記空調装置（20）の空気の吹き出し方向を変化させる。
【００１２】
第２の発明では、制御手段（41,42）が攪拌動作を実行する際に、調湿装置（10）に空気の吹き出し方向を変化させながら送風動作を行わせる。送風動作の際に空気の吹き出し方向が変化すると、空調装置（20）から様々な方向へ空気が吹き出され、室内の空気環境がより均一化される。
【００１３】
第３の発明は、第１又は第２の発明において、上記調湿動作中の調湿装置（10）は、取り込んだ室外空気を湿度調節して室内へ供給すると同時に、取り込んだ室内空気を室外へ排出する。
【００１４】
第３の発明では、室内の湿度調節と共に、室内と室外の空気を入れ換える換気を調湿装置（10）が行う。これにより、調湿装置（10）の調湿動作の際に、室内の汚れた空気が室外へ排出され、室外から室内へ新鮮な空気が導入される。
【００１５】
第４の発明は、第１乃至第３の発明の何れか１つにおいて、上記制御手段（41,42）が、上記攪拌動作の際に上記送風動作を予め設定された時間間隔で上記空調装置（20）に行わせる。
【００１６】
第４の発明では、制御手段（41,42）が攪拌動作を実行すると、予め設定された時間間隔で空調装置（20）の送風動作が行われる。室内の空気は、空調装置（20）の送風動作の度に攪拌される。
【００１７】
第５の発明は、第１乃至第４の発明の何れか１つにおいて、上記制御手段（41,42）が、室内の空気と上記調湿装置（10）から室内へ供給される空気との温度又は湿度の差に基づいて上記攪拌動作の開始又は停止を判断する。
【００１８】
第５の発明では、攪拌動作の開始又は停止が、室内の空気と調湿装置（10）から室内へ供給される空気との温度又は湿度の差に基づいて判断される。ここで、室内の空気と調湿装置（10）から室内へ供給される空気との間に温度又は湿度の差が生じている場合は、調湿装置（10）に近い場所と調湿装置（10）から離れた場所とで温度又は湿度の差が拡大しやすくなる。従って、この第５の発明では、室内の空気と調湿装置（10）から室内へ供給される空気との温度又は湿度の差から、室内の空気を攪拌する必要があるか否かを判断している。
【００１９】
第６の発明は、第１乃至第４の発明の何れか１つにおいて、上記空調装置（20）が室内から取り込む空気の温度を検出する吸込温度検出手段を備え、上記制御手段（41,42）は、上記吸込温度検出手段の検出値の変化量に基づいて上記攪拌動作の停止を判断する。
【００２０】
第６の発明では、攪拌動作の停止が、吸込温度検出手段の検出値の変化量に基づいて判断される。ここで、室内の空気が十分に攪拌されていない場合には、室内の温度分布が不均一な状態の場合がある。そして、室内の温度分布が不均一な状態では、空調装置（20）が取り込む空気の温度が一定ではなくなり、比較的短時間の間に吸込温度検出手段の検出値に変化が見られる。つまり、吸込温度検出手段の検出値の変化量からは、室内の温度分布が不均一な状態であるか否かが推測される。この第６の発明では、この推測に基づいて攪拌動作の停止を判断している。
【００２１】
第７の発明は、第３の発明において、上記調湿装置（10）が室内から取り込む空気の温度又は湿度を検出する還気状態検出手段を備え、上記制御手段（41,42）は、上記還気状態検出手段の検出値の変化量に基づいて上記攪拌動作の開始又は停止を判断する。
【００２２】
第７の発明では、攪拌動作の開始又は停止が、還気状態検出手段の検出値の変化量に基づいて判断される。ここで、室内の空気が十分に攪拌されていない場合には、室内の温度又は湿度分布が不均一な状態の場合がある。そして、室内の温度又は湿度分布が不均一な状態では、調湿装置（10）が取り込む空気の温度又は湿度が一定ではなくなり、比較的短時間の間に還気状態検出手段の検出値に変化が見られる。つまり、還気状態検出手段の検出値の変化量からは、室内の温度又は湿度分布が不均一な状態であるか否かが推測される。この第７発明では、この推測に基づいて攪拌動作の開始又は停止を判断している。
【００２３】
第８の発明は、第１乃至第７の発明の何れか１つにおいて、上記調湿装置（10）は、吸着剤を担持する吸着熱交換器（51,52）が接続されて冷凍サイクルを行う冷媒回路（50）を備え、該冷媒回路（50）の冷媒により上記吸着熱交換器（51,52）の吸着剤を加熱し又は冷却し、該吸着剤に接触する空気を湿度調節して室内へ供給する。
【００２４】
第８の発明では、調湿装置（10）で調湿動作が行われると、加熱された吸着熱交換器（51,52）の吸着剤からは水分が脱離し、冷却された吸着熱交換器（51,52）の吸着剤は水分を吸着する。これにより、加熱された吸着熱交換器（51,52）に接触する空気は加湿され、冷却された吸着熱交換器（51,52）に接触する空気は除湿される。
【００２５】
第９の発明は、第８の発明において、上記調湿装置（10）が室内へ供給する空気の温度又は湿度を検出する給気状態検出手段を備え、上記制御手段（41,42）は、上記給気状態検出手段の検出値の変化量に基づいて上記攪拌動作の開始又は停止を判断する。
【００２６】
第９の発明では、攪拌動作の開始又は停止が、給気状態検出手段の検出値の変化量に基づいて判断される。ここで、調湿装置（10）が取り込む空気の温度又は湿度が変化すると、吸着熱交換器（51,52）での冷媒の吸熱量や吸着剤の水分の吸着量が変化する。そして、それに応じて調湿装置（10）の運転状態も変化するので、調湿装置（10）から室内へ供給される空気の温度又は湿度も変化する。つまり、給気状態検出手段では、調湿装置（10）が取り込む空気の温度又は湿度の変化が間接的に検知される。上述したように、調湿装置（10）取り込む空気の温度又は湿度の変化量からは室内の温度又は湿度分布が不均一な状態であるか否かが推測されるので、この第９の発明では、給気状態検出手段の検出値の変化量からこの推測を行って、攪拌動作の開始又は停止を判断している。
【発明の効果】
【００２７】
本発明では、空調装置（20）に送風動作を行わせる攪拌動作を制御手段（41,42）が実行可能になっており、その攪拌動作が実行されると、空調装置（20）が吹き出す空気によって室内の空気が攪拌されるようにしている。空調装置（20）は、温調動作の停止中であっても制御手段（41,42）で攪拌動作が実行されると送風動作を行う。これにより、調湿装置（10）で湿度調節された空気が、滞留することなく室内中に行き亘るようになる。そして、調湿装置（10）で湿度調節された空気は、より広範囲の室内の空気と混ざり合う。よって、室内の空気環境を均一化することができるので、効率的に室内の快適性を向上させることができる。
【００２８】
また、上記第２の発明では、空調装置（20）の送風動作の際に空気の吹き出し方向を変化させることで、室内の空気環境がより均一化されるようにしている。これにより、より効率的に室内の快適性を向上させることができる。
【００２９】
また、上記第３の発明では、調湿装置（10）が、室内の湿度調節と共に室内の換気を行うように構成されている。ここで、換気を行う調湿装置（10）では、湿度調節した空気を室内中に行き亘らせるために換気量を増加させるとその分だけ湿度調節した空気が室外へ排出されてしまうので、換気量が比較的小さくなっている。しかし、この第３の発明によれば、制御手段（41,42）が攪拌動作を実行すると、送風動作を行う空調装置（20）が吹き出す空気によって室内の空気が攪拌される。従って、従来は湿度調節した空気を室内中へ行き亘らせることが特に困難であった換気を行う調湿装置（10）の場合でも、湿度調節された空気を滞留させることなく室内中に行き亘らせることができるので、効率的に室内の快適性を向上させることができる。
【００３０】
また、上記第５の発明では、室内の空気と調湿装置（10）から室内へ供給される空気との温度又は湿度の差から、室内の空気を攪拌する必要があるか否かを判断している。調湿装置（10）に近い場所と調湿装置（10）から離れた場所とで温度又は湿度の差が拡大しやすくなる場合には、室内の空気を攪拌する必要があるので、制御手段（41,42）で攪拌動作が実行される。また、室内の空気を攪拌する必要がない場合は、制御手段（41,42）で攪拌動作が停止される。従って、室内の空気を攪拌するための空調装置（20）の送風動作を効率的に行うことができる。
【００３１】
また、上記第６の発明では、吸込温度検出手段の検出値の変化量から室内の温度分布が不均一な状態であるか否かを推測している。そして、この推測結果に基づいて攪拌動作の停止を判断している。これにより、空調装置（20）の送風動作の停止の判断を適切に行うことができるので、室内の空気を攪拌するための空調装置（20）の送風動作を効率的に行うことができる。
【００３２】
また、上記第７の発明では、還気状態検出手段の検出値の変化量から室内の温度又は湿度分布が不均一な状態であるか否かを推測している。そして、この推測結果に基づいて攪拌動作の開始又は停止を判断している。これにより、空調装置（20）の送風動作の開始又は停止の判断を適切に行うことができるので、室内の空気を攪拌するための空調装置（20）の送風動作を効率的に行うことができる。
【００３３】
また、上記第９の発明では、給気状態検出手段の検出値の変化量から室内の温度又は湿度分布が不均一な状態であるか否かを推測している。そして、この推測結果に基づいて攪拌動作の開始又は停止を判断している。これにより、空調装置（20）の送風動作の開始又は停止の判断を適切に行うことができるので、室内の空気を攪拌するための空調装置（20）の送風動作を効率的に行うことができる。
【発明を実施するための最良の形態】
【００３４】
本発明の実施形態について説明する。図１に示すように、本実施形態の空調システム（1）は、空気の潜熱及び顕熱を処理する調湿装置（10）と、空気の顕熱を処理する空調装置（20）とを備えている。この空調システム（1）では、調湿装置（10）で処理した空気と、空調装置（20）で処理した空気との双方が同一の室内に供給される。
【００３５】
また、調湿装置（10）には、調湿制御部（41）が設けられている。空調装置（20）には、空調制御部（42）が設けられている。調湿制御部（41）及び空調制御部（42）は、本発明に係る制御手段を構成している。調湿制御部（41）及び空調制御部（42）についての詳細は後述する。
【００３６】
<調湿装置の概略構成>
本実施形態の調湿装置（10）は、取り込んだ室外空気（OA）を除湿して室内へ供給する除湿運転と、取り込んだ室外空気（OA）を加湿して室内へ供給する加湿運転との調湿動作が選択可能に構成されている。また、この調湿装置（10）は、調湿動作の際に空気の潜熱及び顕熱を処理するので、調湿動作に伴い室内の温度を変化させる。
【００３７】
図２に示すように、上記調湿装置（10）は、冷媒回路（50）を備えている。この冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００３８】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００３９】
上記四方切換弁（54）は、第１のポートと第３のポートが連通して第２のポートと第４のポートが連通する第１状態（図２(Ａ)に示す状態）と、第１のポートと第４のポートが連通して第２のポートと第３のポートが連通する第２状態（図２(Ｂ)に示す状態）とに切り換え可能となっている。
【００４０】
図３に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００４１】
上記各吸着熱交換器（51,52）では、各フィン（57）の表面に吸着剤が担持されており、フィン（57）の間を通過する空気がフィン（57）の表面の吸着剤と接触する。この吸着剤としては、ゼオライト、シリカゲル、活性炭、親水性の官能基を有する有機高分子材料など、空気中の水蒸気を吸着できるものが用いられる。
【００４２】
また、この調湿装置（10）には、図示しないが、調湿装置（10）が室内から取り込む室内空気（RA）の温度及び湿度をそれぞれ計測する内気温度センサ及び内気湿度センサと、調湿装置（10）から室内へ供給される供給空気（SA）の温度及び湿度をそれぞれ計測する給気温度センサ及び給気湿度センサと、調湿装置（10）が室外から取り込む室外空気（OA）の温度及び湿度をそれぞれ計測する外気温度センサ及び外気湿度センサとが設けられている。内気温度センサ及び内気湿度センサとは、本発明に係る還気状態検出手段を構成している。給気温度センサ及び給気湿度センサとは、本発明に係る給気状態検出手段を構成している。これらのセンサの検出値は調湿制御部（41）に送信される。
【００４３】
<空調装置の概略構成>
本実施形態の空調装置（20）は、冷却した空気を室内へ供給する冷房運転と、加熱した空気を室内へ供給する暖房運転との温調動作が選択可能に構成されている。また、空調装置（20）は、取り込んだ室内空気（RA）をそのまま室内へ吹き出す送風動作が上記温調動作の停止中に実行可能になっている。
【００４４】
図４に示すように、上記空調装置（20）は、室内ユニット（21）及び室外ユニット（22）を備えている。上記室内ユニット（21）は室内に配置されている。この室内ユニット（21）には、室内熱交換器（62）と室内ファン（25）が収納されている。一方、上記室外ユニット（22）は室外に配置されている。この室外ユニット（22）には、室外熱交換器（61）、圧縮機（63）、四方切換弁（64）、電動膨張弁（65）及び室外ファン（26）が収納されている。上記室内ユニット（21）と上記室外ユニット（22）とは、２本の連絡配管（23,24）で互いに接続されている。そして、空調装置（20）には、閉回路である冷媒回路（60）が構成されている。この冷媒回路（60）は、充填された冷媒を循環させることによって、蒸気圧縮冷凍サイクルを行う。
【００４５】
上記冷媒回路（60）において、圧縮機（63）は、その吐出側が四方切換弁（64）の第１のポートに、その吸入側が四方切換弁（64）の第２のポートにそれぞれ接続されている。室外熱交換器（61）の一端は、四方切換弁（64）の第３のポートに接続されている。室外熱交換器（61）の他端は、電動膨張弁（65）を介して室内熱交換器（62）の一端に接続されている。室内熱交換器（62）の他端は、四方切換弁（64）の第４のポートに接続されている。
【００４６】
上記四方切換弁（64）は、第１のポートと第３のポートが連通して第２のポートと第４のポートが連通する第１状態（図４(Ａ)に示す状態）と、第１のポートと第４のポートが連通して第２のポートと第３のポートが連通する第２状態（図４(Ｂ)に示す状態）とに切り換え可能となっている。
【００４７】
また、この空調装置（20）には、図示しないが、空調装置（20）が室内から取り込む室内空気（RA）の温度を計測する吸込空気温度センサが設けられている。吸込空気温度センサは、本発明に係る吸込温度検出手段を構成している。吸込空気温度センサの検出値は、空調制御部（42）に送信される。
【００４８】
<調湿制御部及び空調制御部の構成>
上述したように、本実施形態の空調システム（1）は、調湿装置（10）に調湿制御部（41）が設けられ、空調装置（20）に空調制御部（42）が設けられている。調湿制御部（41）は、調湿装置（10）の調湿動作を制御する。空調制御部（42）は、空調装置（20）の空調動作を制御する。
【００４９】
調湿制御部（41）には、図示しないが希望の室内湿度を入力する湿度入力部と希望の室内温度を入力する温度入力部とが設けられている。湿度入力部は、希望の室内湿度を「低」「中」「高」の３段階の中から選択可能に構成されている。調湿制御部（41）には、「低」「中」「高」のそれぞれに対応する相対湿度の値又は範囲が予め設定されている。湿度入力部に「低」「中」「高」の何れかが入力されると、調湿制御部（41）はその入力に対応する相対湿度の値又は範囲を目標湿度に設定する。また、調湿制御部（41）は、温度入力部に希望の室内温度が入力されると、その希望の室内温度を目標温度に設定する。
【００５０】
調湿制御部（41）は、目標湿度が設定されると、室内の相対湿度がその目標湿度に近づくように調湿装置（10）の調湿能力を調節する。具体的に、この調湿制御部（41）は、演算部（33）を備えている。演算部（33）は、目標温度と目標湿度とからその温度と湿度における絶対湿度を算出する。そして、調湿制御部（41）は、演算部（33）で算出した絶対湿度を目標絶対湿度に設定し、室内の絶対湿度が目標絶対湿度に近づくように調湿装置（10）の調湿能力を調節する。
【００５１】
一方、空調制御部（42）には、図示しないが希望の室内温度を入力する入力部が設けられている。空調制御部（42）は、入力部に希望の室内温度が入力されると、その希望の室内温度を空調側の目標温度に設定する。そして、空調制御部（42）は、室内の温度が空調側の目標温度に近づくように空調装置（20）の温調能力を調節する。
【００５２】
また、調湿制御部（41）と空調制御部（42）とは、直接通信することができるように構成されている。具体的に、調湿制御部（41）で後述する攪拌動作の実行が判断されると、調湿制御部（41）は、室内ファン（25）を運転する送風動作を行うように空調制御部（42）に指令を出す。空調制御部（42）は、空調装置（20）の温調動作の停止中に調湿制御部（41）から指令を受けると、居室者からの入力がなくても送風動作を行う。また、空調制御部（42）は、空調装置（20）の温調動作の実行中に調湿制御部（41）から指令を受けると、空調装置（20）に温調動作をそのまま継続させる。
【００５３】
−運転動作−
<調湿装置の運転動作>
本実施形態の調湿装置（10）では、除湿運転と加湿運転とが行われる。除湿運転中や加湿運転中の調湿装置（10）は、取り込んだ室外空気（OA）を湿度調節してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。また、上記調湿装置（10）は、除湿運転中と加湿運転中の何れにおいても、第１動作と第２動作を所定の時間間隔（例えば３分間隔）で交互に繰り返す。
【００５４】
上記調湿装置（10）は、除湿運転中であれば第１空気として室外空気（OA）を、第２空気として室内空気（RA）をそれぞれ取り込む。また、上記調湿装置（10）は、加湿運転中であれば第１空気として室内空気（RA）を、第２空気として室外空気（OA）をそれぞれ取り込む。
【００５５】
先ず、第１動作について説明する。第１動作中には、第１吸着熱交換器（51）へ第２空気が、第２吸着熱交換器（52）へ第１空気がそれぞれ送り込まれる。この第１動作では、第１吸着熱交換器（51）についての再生動作と、第２吸着熱交換器（52）についての吸着動作とが行われる。
【００５６】
図２(Ａ)に示すように、第１動作中の冷媒回路（50）では、四方切換弁（54）が第１状態に設定される。圧縮機（53）を運転すると、冷媒回路（50）内で冷媒が循環する。具体的に、圧縮機（53）から吐出された冷媒は、第１吸着熱交換器（51）で放熱して凝縮する。第１吸着熱交換器（51）で凝縮した冷媒は、電動膨張弁（55）を通過する際に減圧され、その後に第２吸着熱交換器（52）で吸熱して蒸発する。第２吸着熱交換器（52）で蒸発した冷媒は、圧縮機（53）へ吸入されて圧縮され、再び圧縮機（53）から吐出される。
【００５７】
このように、第１動作中の冷媒回路（50）では、第１吸着熱交換器（51）が凝縮器となり、第２吸着熱交換器（52）が蒸発器となる。凝縮器となる第１吸着熱交換器（51）ではフィン（57）表面の吸着剤が伝熱管（58）内の冷媒よって加熱され、蒸発器となる第２吸着熱交換器（52）ではフィン（57）表面の吸着剤が伝熱管（58）内の冷媒によって冷却される。第１吸着熱交換器（51）を通過する第２空気は、加熱された吸着剤から脱離した水分が付与されると共に加熱される。第２吸着熱交換器（52）を通過する第１空気は、その中の水分が冷却された吸着剤によって吸着されると共にその第１空気が冷却される。
【００５８】
そして、除湿運転中であれば、第２吸着熱交換器（52）で除湿されて冷却された第１空気が室内へ供給され、第１吸着熱交換器（51）から脱離した水分が第２空気と共に室外へ排出される。一方、加湿運転中であれば、第１吸着熱交換器（51）で加湿されて加熱された第２空気が室内へ供給され、第２吸着熱交換器（52）に水分を奪われた第１空気が室外へ排出される。
【００５９】
次に、第２動作について説明する。第２動作中には、第１吸着熱交換器（51）へ第１空気が、第２吸着熱交換器（52）へ第２空気がそれぞれ送り込まれる。この第２動作では、第２吸着熱交換器（52）についての再生動作と、第１吸着熱交換器（51）についての吸着動作とが行われる。
【００６０】
図２(Ｂ)に示すように、第２動作中の冷媒回路（50）では、四方切換弁（54）が第２状態に設定される。圧縮機（53）を運転すると、冷媒回路（50）内で冷媒が循環する。具体的に、圧縮機（53）から吐出された冷媒は、第２吸着熱交換器（52）で放熱して凝縮する。第２吸着熱交換器（52）で凝縮した冷媒は、電動膨張弁（55）を通過する際に減圧され、その後に第１吸着熱交換器（51）で吸熱して蒸発する。第１吸着熱交換器（51）で蒸発した冷媒は、圧縮機（53）へ吸入されて圧縮され、再び圧縮機（53）から吐出される。
【００６１】
このように、冷媒回路（50）では、第２吸着熱交換器（52）が凝縮器となり、第１吸着熱交換器（51）が蒸発器となる。蒸発器となる第１吸着熱交換器（51）ではフィン（57）表面の吸着剤が伝熱管（58）内の冷媒よって冷却され、凝縮器となる第２吸着熱交換器（52）ではフィン（57）表面の吸着剤が伝熱管（58）内の冷媒によって加熱される。第１吸着熱交換器（51）を通過する第１空気は、その中の水分が冷却された吸着剤によって吸着されると共にその第１空気が冷却される。第２吸着熱交換器（52）を通過する第２空気は、加熱された吸着剤から脱離した水分が付与されると共に加熱される。
【００６２】
そして、除湿運転中であれば、第１吸着熱交換器（51）で除湿されて冷却された第１空気が室内へ供給され、第２吸着熱交換器（52）から脱離した水分が第２空気と共に室外へ排出される。一方、加湿運転中であれば、第２吸着熱交換器（52）で加湿されて加熱された第２空気が室内へ供給され、第１吸着熱交換器（51）に水分を奪われた第１空気が室外へ排出される。
【００６３】
<空調システムの制御動作>
本実施形態の空調システム（1）は、調湿装置（10）の調湿動作が調湿制御部（41）で制御され、空調装置（20）の空調動作が空調制御部（42）で制御される。また、この空調システム（1）は、空調装置（20）の空調動作の停止中に空調制御部（42）が調湿制御部（41）から指令を受けると、空調装置（20）が送風動作を行うように構成されている。
【００６４】
まず、調湿装置（10）の調湿動作の制御について説明する。調湿装置（10）では、湿度入力部に希望の室内湿度が入力されると、調湿制御部（41）がその希望の室内湿度を目標湿度に設定し、温度入力部に希望の室内温度が入力されると、調湿制御部（41）がその希望の室内温度を目標温度に設定する。また、調湿制御部（41）は、調湿装置（10）の内気温度センサ、給気温度センサ、及び外気温度センサで検出された検出温度と、内気湿度センサ、給気湿度センサ、及び外気湿度センサで検出された検出湿度とを受信する。
【００６５】
調湿制御部（41）は、演算部（33）で目標温度及び目標湿度からその温度と湿度における絶対湿度を算出し、その算出した絶対湿度を目標絶対湿度に設定する。また、演算部（33）は、外気温度センサの検出温度及び外気湿度センサの検出湿度から室外空気（OA）の絶対湿度を算出する。さらに、演算部（33）は、内気温度センサの検出温度及び内気湿度センサの検出湿度から室内空気（RA）の絶対湿度を算出する。調湿制御部（41）は、室外空気（OA）及び室内空気（RA）の絶対湿度と、上記目標絶対湿度とに基づいて、室内の絶対湿度が目標絶対湿度に近づくように調湿装置（10）の調湿能力を制御する。この調湿装置（10）の調湿能力の制御は、例えば圧縮機（53）の運転周波数を変更して冷媒循環量を変化させることによって行われる。
【００６６】
続いて、空調装置（20）の温調動作の制御について説明する。空調装置（20）では、入力部に希望の室内温度が入力されると、空調制御部（42）がその希望の室内温度を空調側の目標温度に設定する。また、空調制御部（42）は、吸込空気温度センサで検出された検出温度を受信する。
【００６７】
そして、空調制御部（42）は、吸込空気温度センサの検出温度が空調側の目標温度に近づくように空調装置（20）の温調能力を調節する。この空調装置（20）の温調能力の制御は、例えば圧縮機（63）の運転周波数を変更して冷媒循環量を変化させることによって行われる。なお、空調制御部（42）は、吸込空気温度センサの検出温度が目標温度を超えた状態（冷房運転では目標温度を下回る状態、暖房運転では目標温度を上回る状態）になると、圧縮機（63）を停止するサーモオフ状態に空調装置（20）を設定する。
【００６８】
続いて、調湿制御部（41）における攪拌動作について説明する。図５に示すように、調湿装置（10）の調湿動作が停止中で空調装置（20）の温調動作が停止中（サーモオフ状態も含む）の状態から、調湿装置（10）の調湿動作を開始する場合について説明する。
【００６９】
調湿制御部（41）は、居室者から調湿装置（10）の調湿動作の開始の入力があると、圧縮機（53）を起動して調湿装置（10）の調湿動作を開始させる。そして、調湿装置（10）の調湿動作の開始から所定時間（例えば５分間）が経過すると、調湿制御部（41）は攪拌動作を開始するか否かの判断を行う。攪拌動作の開始の判断は、「室内の空気」と「調湿装置（10）から室内へ供給される供給空気（SA）」との温度又は湿度の差に基づいて行われる。調湿制御部（41）は、「室内の空気」と「調湿装置（10）から室内へ供給される供給空気（SA）」との温度又は湿度の差が生じている場合に、調湿装置（10）に近い場所と調湿装置（10）から離れた場所とで温度又は湿度の差が拡大しやすくなると判断して、攪拌動作の開始を判断する。
【００７０】
具体的に、調湿制御部（41）は、「内気温度センサの検出温度と給気温度センサの検出温度との差が第１設定値（例えば５℃）以上である第１条件」か、「内気湿度センサの検出湿度と給気湿度センサの検出湿度との差が第２設定値（例えば２０％）以上である第２条件」の何れかの条件が成立する場合に、攪拌動作を開始する。調湿制御部（41）は、攪拌動作の開始を判断すると、空調装置（20）の送風動作の開始指令を空調制御部（42）に送信する。空調制御部（42）は、この開始指令を受信すると、居室者からの入力がなくなても、空調装置（20）の室内ファン（25）を起動させて送風動作を開始させる。
【００７１】
また、調湿制御部（41）は、攪拌動作の実行中に、所定の間隔（例えば１分）で攪拌動作を停止するか否かの判断を行う。具体的に、調湿制御部（41）は、上記第１条件と第２条件が共に成立しない場合に攪拌動作の停止を判断する。調湿制御部（41）は、攪拌動作の停止を判断すると、空調装置（20）の送風動作の停止指令を空調制御部（42）に送信する。空調制御部（42）は、この停止指令を受信すると、居室者からの入力がなくなても、空調装置（20）の室内ファン（25）を停止させて送風動作を終了させる。
【００７２】
また、調湿制御部（41）は、攪拌動作の停止後に調湿装置（10）で調湿動作が継続される場合は、所定の間隔（例えば１分）で攪拌動作を再開するか否かの判断を行う。調湿制御部（41）は、上記第１条件か第２条件の何れかの条件が成立する状態になると、攪拌動作を再開する。
【００７３】
なお、調湿制御部（41）は、居室者の入力により調湿装置（10）の調湿動作を終了させる際に攪拌動作の実行中であれば、空調装置（20）の送風動作の停止指令を空調制御部（42）に送信する。空調制御部（42）は、この停止指令を受信すると空調装置（20）の送風動作を終了させる。
【００７４】
−実施形態の効果−
上記実施形態では、空調装置（20）に送風動作を行わせる攪拌動作を調湿制御部（41）が実行可能になっており、その攪拌動作が実行されると、空調装置（20）が吹き出す空気によって室内の空気が攪拌されるようにしている。空調装置（20）は、温調動作の停止中であっても調湿制御部（41）で攪拌動作が実行されると送風動作を行う。これにより、調湿装置（10）で湿度調節された空気が、滞留することなく室内中に行き亘るようになる。そして、調湿装置（10）で湿度調節された空気は、より広範囲の室内の空気と混ざり合う。よって、室内の空気環境を均一化することができるので、効率的に室内の快適性を向上させることができる。
【００７５】
また、上記実施形態では、室内の空気と調湿装置（10）から室内へ供給される供給空気（SA）との温度又は湿度の差から、室内の空気を攪拌する必要があるか否かを判断している。調湿装置（10）に近い場所と調湿装置（10）から離れた場所とで温度又は湿度の差が拡大しやすくなる場合には、室内の空気を攪拌する必要があるので、調湿制御部（41）で攪拌動作が実行される。また、室内の空気を攪拌する必要がない場合は、調湿制御部（41）で攪拌動作が停止される。従って、室内の空気を攪拌するための空調装置（20）の送風動作を効率的に行うことができる。
【００７６】
−実施形態の変形例１−
実施形態の変形例１について説明する。この変形例１では、攪拌動作の開始、停止又は再開の判断を「内気湿度センサの検出湿度と目標湿度との差」や「内気温度センサの検出温度と目標温度との差」に基づいて行っている。調湿装置（10）は、目標温度又は目標湿度に基づいて調湿能力が制御されるので、目標温度又は目標湿度からは調湿装置（10）から室内へ供給される供給空気（SA）の温度又は湿度が推測される。
【００７７】
具体的に、「内気湿度センサの検出湿度と目標湿度との差が第３設定値以上である第３条件」か、「内気温度センサの検出温度と目標温度との差が第４設定値以上である第４条件」の何れかの条件が成立する場合に、攪拌動作を開始又は再開する。また、調湿制御部（41）は、上記第３条件と第４条件が共に成立しない場合に攪拌動作の停止を判断する。
【００７８】
なお、「室内の空気」と「調湿装置（10）から室内へ供給される供給空気（SA）」との温度又は湿度の差を検出することができるデータであれば、他のデータを用いてもよい。例えば、「内気湿度センサの検出湿度と外気湿度センサの検出湿度との差」や「内気温度センサの検出温度と外気温度センサの検出温度との差」を用いてもよい。室内へ供給される供給空気（SA）の温度又は湿度は室外空気（OA）の温度又は湿度に応じて変化するため、室外空気（OA）の温度又は湿度を、攪拌動作の開始、停止又は再開の判断に用いることができる。
【００７９】
また、「内気湿度センサの検出湿度と外気湿度センサの検出湿度と目標湿度」、「内気温度センサの検出温度と外気温度センサの検出温度と目標温度」、「内気湿度センサの検出湿度と外気湿度センサの検出湿度と給気温度センサの検出湿度」、又は「内気温度センサの検出温度と外気温度センサの検出温度と給気温度センサの検出温度」のように３つのデータを組合わせて、攪拌動作の開始、停止又は再開の判断を行ってもよい。
【００８０】
−実施形態の変形例２−
実施形態の変形例２について説明する。この変形例２では、調湿装置（10）の調湿動作中は、調湿制御部（41）で常に攪拌動作が実行される。この変形例２の空調システム（1）に関して、調湿装置（10）の調湿動作と空調装置（20）の温調動作とが共に停止中の状態から調湿装置（10）の調湿動作を開始する場合の動作について説明する（図６参照）。
【００８１】
調湿制御部（41）は、居室者から調湿装置（10）の調湿動作の開始の入力があると攪拌動作を開始する。調湿制御部（41）は、調湿装置（10）に調湿動作を開始させると共に、空調装置（20）で送風動作の開始指令を空調制御部（42）に送信する。空調制御部（42）は、この開始指令を受信すると、居室者からの入力がなくても空調装置（20）の室内ファン（25）を起動させて送風動作を開始させる。
【００８２】
この空調装置（20）は、調湿制御部（41）からの指令に従って送風動作を実行する場合は、所定の時間間隔で運転と停止とを繰り返す間欠運転で送風動作を実行するように予め設定されている。具体的に、空調制御部（42）は、調湿制御部（41）から開始指令を受けると、空調装置（20）に送風動作を第１の所定時間（例えば５分間）に亘り実行させて第２の所定時間（例えば３分間）に亘り停止させるという動作を繰り返し行う。
【００８３】
調湿制御部（41）は、居室者の入力により調湿装置（10）の調湿動作を終了させる場合は、空調装置（20）の送風動作の停止指令を空調制御部（42）に送信する。空調制御部（42）は、この停止指令を受信すると空調装置（20）の送風動作を終了させる。
【００８４】
なお、空調装置（20）は、室内の空気を攪拌するための送風動作を、調湿制御部（41）からの指令ではなく居室者の入力によって開始又は停止するようにしてもよい。具体的に、空調装置（20）は、所定の時間間隔の間欠運転で送風動作を行う運転モードを備えている。空調装置（20）は、その運転モードを居室者が選択可能に構成されている。
【００８５】
−実施形態の変形例３−
実施形態の変形例３について説明する。この変形例３では、調湿装置（10）の調湿動作の開始から所定時間（例えば５分間）が経過すると、調湿制御部（41）で攪拌動作が自動的に開始される。そして、調湿制御部（41）が、調湿装置（10）が室内から取り込む室内空気（RA）の温度又は湿度の変化量に基づいて攪拌動作の停止又は再開を判断する。この変形例３の空調システム（1）に関して、調湿装置（10）の調湿動作と空調装置（20）の温調動作とが共に停止中の状態から調湿装置（10）の調湿動作を開始する場合の動作について説明する（図７参照）。
【００８６】
調湿制御部（41）は、居室者から調湿装置（10）の調湿動作の開始の入力があると、まず調湿装置（10）に調湿動作を開始させる。そして、調湿動作の開始から所定時間（例えば５分間）が経過すると、調湿制御部（41）では攪拌動作が開始され、調湿制御部（41）は空調装置（20）の送風動作の開始指令を空調制御部（42）に送信する。空調制御部（42）は、この開始指令を受信すると、居室者からの入力がなくなても空調装置（20）の室内ファン（25）を起動させて送風動作を開始させる。
【００８７】
また、調湿制御部（41）は、攪拌動作の実行中に所定の時間間隔（例えば１分間）で攪拌動作を停止するか否かの判断を行う。具体的に、調湿制御部（41）は、「所定時間内における内気湿度センサの検出値の変化量が第５設定値を下回る第５条件」と、「所定時間内における内気温度センサの検出値の変化量が第６設定値を下回る第６条件」との両方の条件が成立すると攪拌動作を停止する。
【００８８】
調湿制御部（41）は、所定時間内における内気湿度センサ及び内気温度センサの検出値の変化量から室内の温度又は湿度分布が不均一な状態であるか否かを推測している。そして、調湿制御部（41）は、室内の温度又は湿度分布が不均一な状態ではないと推測すると攪拌動作を停止する。
【００８９】
調湿制御部（41）は、攪拌動作の停止を判断すると、空調装置（20）の送風動作の停止指令を空調制御部（42）に送信する。空調制御部（42）は、この停止指令を受信すると、居室者からの入力がなくなても、空調装置（20）の室内ファン（25）を停止させて送風動作を終了させる。
【００９０】
また、調湿制御部（41）は、攪拌動作の停止後に調湿装置（10）で調湿動作が継続される場合は、所定の間隔（例えば１分）で攪拌動作を再開するか否かの判断を行う。調湿制御部（41）は、上記第５条件か第６条件の何れか一方でも成立しない状態になると、攪拌動作を再開する。
【００９１】
なお、攪拌動作の停止の判断に、「所定時間内における吸込空気温度センサの検出値の変化量」を用いてもよい。また、攪拌動作の停止又は再開の判断に、「所定時間内における給気温度センサ及び給気湿度センサの検出値の変化量」を用いてもよい。室内の温度又は湿度分布が不均一な状態であるか否かの推測は、これらの検出値の変化量によっても行うことができる。
【００９２】
この変形例３では、内気湿度センサ及び内規温度センサの検出値の変化量から室内の温度又は湿度分布が不均一な状態であるか否かを推測している。そして、この推測結果に基づいて攪拌動作の開始又は停止を判断している。これにより、空調装置（20）の送風動作の開始又は停止の判断を適切に行うことができるので、室内の空気を攪拌するための空調装置（20）の送風動作を効率的に行うことができる。
【００９３】
《その他の実施形態》
上記実施形態については、以下のような構成としてもよい。
【００９４】
調湿装置（10）と空調装置（20）との共通の入力部としてコントローラを設けてもよい。コントローラには、希望の室内湿度を入力する湿度入力部と希望の室内温度を入力する温度入力部が設けられる。調湿制御部（41）には入力された湿度及び温度が送信され、空調制御部（42）には入力された温度が送信される。なお、上記実施形態の変形例２の場合に、コントローラが、居室者の入力に従って調湿制御部（41）に調湿動作の開始指令を送信する際に、空調制御部（42）に送風動作の開始指令を送信するようにしてもよい。
【００９５】
また、上記実施形態において、空調装置（20）に供給空気（SA）の吹き出し方向を変化させる風向調節機構を設けてもよい。空調制御部（42）は、送風動作の際に供給空気（SA）の吹き出し方向を変化させるように風向調節機構を制御する。この場合は、空調装置（20）が吹き出す空気によって室内の空気環境がより均一化されるので、効率的に室内の快適性を向上させることができる。
【００９６】
また、空調システム（1）は、調湿装置（10）で湿度調節した空気が空調装置（20）から室内へ供給されるように構成してもよい（図８参照）。調湿装置（10）は、室内空気（RA）を取り込んで室外へ排出する一方で、室外から取り込んで湿度調節した空気を空調装置（20）に送り込む。空調装置（20）は、温調動作の停止中であっても調湿装置（10）で調湿動作が実行中であれば、室内ファン（25）を運転させる。調湿装置（10）から空調装置（20）に送り込まれた空気は、空調装置（20）の吸込口から取り込まれた空気と共に空調装置（20）の吹出口から比較的大きな流速で室内へ供給される。
【００９７】
また、調湿装置（10）は、居室者からの入力で調湿動作を実行するのではなく、調湿制御部（41）に予め設定されたスケジュールに基づいて調湿動作を実行するようにしてもよい。
【００９８】
また、上記実施形態では、調湿装置（10）が次のように構成されていてもよい。ここでは、調湿装置（10）の変形例について説明する。
【００９９】
−第１変形例−
図９に示すように、第１変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【０１００】
この調湿装置（10）は、第１動作と第２動作を繰り返す。図９(Ａ)に示すように、第１動作中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図９(Ｂ)に示すように、第２動作中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【０１０１】
−第２変形例−
図１０に示すように、第２変形例の調湿装置（10）は、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【０１０２】
この調湿装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【０１０３】
なお、以上の実施形態は、本質的に好ましい例示であって、本発明、その適用物、あるいはその用途の範囲を制限することを意図するものではない。
【産業上の利用可能性】
【０１０４】
以上説明したように、本発明は、同一の室内空間を対象とする調湿装置及び空調装置を備える空調システムについて有用である。
【図面の簡単な説明】
【０１０５】
【図１】実施形態の空調システムの概略の構成図である。
【図２】実施形態の調湿装置の冷媒回路の構成を示す配管系統図であって、(Ａ)は第１動作中の動作を示すものであり、(Ｂ)は第２動作中の動作を示すものである。
【図３】吸着熱交換器の概略斜視図である。
【図４】実施形態の空調装置の冷媒回路の構成を示す配管系統図であって、(Ａ)は第１の状態を示すものであり、(Ｂ)は第２の状態を示すものである。
【図５】実施形態の空調システムの動作を表すフロー図である。
【図６】実施形態の変形例２の空調システムの動作を表すフロー図である。
【図７】実施形態の変形例３の空調システムの動作を表すフロー図である。
【図８】その他の実施形態の空調システムの概略の構成図である。
【図９】その他の実施形態の第１変形例における調湿装置の概略構成図であって、(Ａ)は第１動作中の動作を示すものであり、(Ｂ)は第２動作中の動作を示すものである。
【図１０】その他の実施形態の第２変形例における調湿ユニットの概略斜視図である。
【符号の説明】
【０１０６】
1   空調システム
10  調湿装置
20  空調装置
50  冷媒回路
41  調湿制御部（制御手段）
42  空調制御部（制御手段）
51  第１吸着熱交換器（吸着熱交換器）
52  第２吸着熱交換器（吸着熱交換器）
【図１】
2006343020.tif 000003
【図２】
2006343020.tif 000004
【図３】
2006343020.tif 000005
【図４】
2006343020.tif 000006
【図５】
2006343020.tif 000007
【図６】
2006343020.tif 000008
【図７】
2006343020.tif 000009
【図８】
2006343020.tif 000010
【図９】
2006343020.tif 000011
【図１０】
2006343020.tif 000012